(57)【要約】【課題】本発明は、導光板を有する表示体を誘導灯本体に配設する構成において、薄形化を容易に実現することができる誘導灯装置を提供する。【解決手段】本実施形態によれば、点灯部品７２の取付け高さ違いを利用することで、点灯装置ケース７３の表側７３Ｘを傾斜状に形成する。また、このような点灯装置ケース７３を有する点灯装置６を内部に配設した状態の誘導灯本体２に対して導光板３３が設けられた表示体３を配設する。このとき、表示体３の仕切板３８を点灯装置ケース７３の表側７３Ｘに当接しないように傾斜状に形成する。【選択図】図４
2010073465.tif 000002
【特許請求の範囲】
【請求項１】
誘導灯本体と；
誘導灯本体に設けられる光源部と；
平板状本体、この平板状本体の一面に設けられた光出射面及びこの光出射面に略直交する端面に光源部に対向するように設けられる光入射部が設けられ、光入射部から光入射部と対向する他端部側に向かう方向を所定方向とした場合において、他端部側に近づくほど所定方向と直交する方向の厚さ寸法が小さくなるように光出射面と対向する背面側が傾斜状で形成されている導光板と；
導光板が設けられるとともに、導光板の背面側と略平行となるように傾斜状に形成された背面部を有し、誘導灯本体に着脱自在に取付けられる表示体と；
内部に点灯部品を収納するケースを有し、前記ケースは、表示体と対向する表側が表示体の背面部に当接しない程度であって、かつ、所定方向の厚さ寸法が導光板における光入射部側よりも他端部側が大きくなるように形成されている誘導灯本体内の表示体と対向するように設けられる点灯手段と；
を具備していることを特徴とする誘導灯装置。
【発明の詳細な説明】
【技術分野】
【０００１】
本発明は、導光板を有する誘導灯装置に関する。
【背景技術】
【０００２】
従来、誘導灯は、少なくとも開口が形成された誘導灯本体、この誘導灯本体の開口部を覆うように取り付けられる表示体、この表示体を照明する光源を有する光源部、商用電源などの通常電源を接続する端子台、非常用電源となるバッテリ、および通常電源とバッテリとで電源を切り換えて光源を点灯させる点灯手段などを備えている。誘導灯本体内には端子台、バッテリ、点灯ユニットなどが配置され、これらを覆うように表示体が誘導灯本体に着脱可能に取り付けられている。
【０００３】
このような表示体の構造としては、導光板を用いた形態が知られている。そして、誘導灯装置に用いる導光板の構成として、上下方向において下端に近づくほど前後方向の厚さ寸法が小さくなるように形成することで、例えば視認性の向上や導光板内の光の伝播を効率よく行うというものが知られている（例えば、特許文献１参照）。
【特許文献１】特開２００７−８０６８２号公報
【発明の開示】
【発明が解決しようとする課題】
【０００４】
このような特許文献１のような誘導灯装置は、導光板を収納保持する表示体は、導光板を収納保持した状態で平板状かつ背面部は上下方向において略垂直となる矩形状で形成されていたものであった。また、誘導灯本体内に設けられる点灯手段のケースも箱形形状で形成されているものであった。したがって、このように表示体及び点灯手段が構成されると、誘導灯装置の前後方向の全体寸法を小さくし難いという課題があった。
【０００５】
この点について説明すると、誘導灯装置の前後方向の全体寸法は、表示体の前後方向の寸法と、誘導灯本体の前後方向の寸法とによって全体の前後方向の寸法になるが、誘導灯本体の前後方向の寸法は点灯手段の前後方向の寸法の影響が大きい。すなわち、誘導灯本体内に設けられる点灯手段のケース内には電気部品が基板に実装されており、この電気部品の取付高さ（前後方向において基板に実装される取付高さ）以上に誘導灯本体の前後方向の寸法を確保しなくては表示体を誘導灯本体の開口部に配設することはできない。
【０００６】
また、従来の表示体の背面部は上記のような矩形状であるため、表示体の前後方向の寸法は、少なくとも導光板の前後方向の最大幅寸法よりも大幅に大きくなってしまうものである。
【０００７】
したがって、このように形成された表示体を誘導灯本体に配設するため、誘導灯装置全体としての前後方向の幅寸法を小さくするには限界があった。
【０００８】
本発明は、上記に鑑みなされたものであり、導光板を有する表示体を誘導灯本体に配設する構成において、薄形化を容易に実現することができる誘導灯装置を提供することを目的とするものである。
【課題を解決するための手段】
【０００９】
請求項１の誘導灯装置によれば、誘導灯本体と；誘導灯本体に設けられる光源部と；平板状本体、この平板状本体の一面に設けられた光出射面及びこの光出射面に略直交する端面に光源部に対向するように設けられる光入射部が設けられ、光入射部から光入射部と対向する他端部側に向かう方向を所定方向とした場合において、他端部側に近づくほど所定方向と直交する方向の厚さ寸法が小さくなるように光出射面と対向する背面側が傾斜状で形成されている導光板と；導光板が設けられるとともに、導光板の背面側と略平行となるように傾斜状に形成された背面部を有し、誘導灯本体に着脱自在に取付けられる表示体と；内部に点灯部品を収納するケースを有し、前記ケースは、表示体と対向する表側が表示体の背面部に当接しない程度であって、かつ、所定方向の厚さ寸法が導光板における光入射部側よりも他端部側が大きくなるように形成されている誘導灯本体内の表示体と対向するように設けられる点灯手段と；を具備していることを特徴とする誘導灯装置。
【００１０】
を具備していることを特徴とする。
【００１１】
誘導灯装置は、例えば、壁面や天井面に設置される。また、誘導灯本体は、例えば、表示体が取り付けられる一面あるいは両面を開口した箱形とし、内部には、通常電源を接続する端子台、非常用電源であるバッテリ、および通常電源と非常用電源とで切り換えて光源を点灯させる点灯手段などが収容される。
【００１２】
導光板は、合成樹脂たとえばアクリル樹脂、ポリカーボネート樹脂により形成されていることが望ましいが、入射された光が出射面に伝播するような特性を有していれば特に限定しない。また、形状は平板状であることが望ましいが、本発明の趣旨を逸脱しない範囲であればどのような形状であってもよい。
【００１３】
導光板は、光出射面において所望の配光特性を得られるように配光手段を設けることも許容する。配光手段としては、例えば光出射面に対向する面に光透過制御材(白色顔料)の入ったインクが規則的に印刷されたドット印刷、光出射面に対向する面に複数の凹凸を設けるプリズムカット形状またはドット加工、光出射面に対向する面を研磨して微細な凹凸を設ける粗面加工などであるがこれに限定されるものではない。
【００１４】
また「所定方向」とは、例えば誘導灯装置を壁面へ取付けた場合であって、光源部が誘導灯装置を取付けた状態における上側へ設けた場合には、取付状態における上下方向が所定方向に該当する。
【００１５】
また、「他端部側へ近づくほど所定方向と直交する方向の厚さ寸法」とは、例えば誘導灯装置を壁面へ取付けた使用状態において、表示体の表示面側から誘導灯本体側へ向かう方向の幅寸法を意味しているものである。
【００１６】
表示体は、例えば、誘導を示す絵柄、文字、矢印などが表示された透光性を有する表示板が一体で形成されるか、又別体の場合には枠体等によって前記表示体が保持されるように用いられる。
【００１７】
光源部は、例えば、発光ダイオード、冷陰極放電ランプ、および有機ＥＬなどの光源が用いられる。
【００１８】
そして、本発明によれば、誘導灯本体に導光板が配設された表示体を設けることなるが、この際、表示体は、導光板の傾斜状の背面側に沿うように形成された背面部となっており、点灯部品を収納するケースは、表示体と対向する表側が表示体の背面部に当接しない程度に傾斜状で形成されている。
【００１９】
すなわち、まず、点灯手段の複数の点灯部品は、基板に対する取付け高さが各々異なるものであるため、最も取付高さが高くなる点灯部品をケースの下側に配置し、ケースの上側になるにしたがって、取付高さの低い点灯部品を配置するように構成する。そして、このように形成された点灯部品の取付け高さ違いを利用することで、ケースの表側を傾斜状に形成することができる。
【００２０】
次に、このようなケースを有する点灯手段を内部に配設した状態の誘導灯本体に対して導光板が設けられた表示体を配設する。このとき、表示体の背面部が傾斜状であって、ケースの表側も傾斜状に形成したことによって、表示体と点灯手段とが当接しないように設けることが可能となる。これにより、表示体と誘導灯本体とを組合わせた際の前後方向の寸法を小さくすることが可能となる。
【発明の効果】
【００２１】
請求項１記載の発明によれば、表示体と誘導灯本体とを組合わせた際の前後方向の寸法を小さくすることができるので、誘導灯装置の薄形化を実現することができる。
【発明を実施するための最良の形態】
【００２２】
以下、本発明の実施形態に係る照明装置について図１ないし図６を参照して説明する。図１誘導灯装置を示す斜視図、図２は誘導灯本体と表示体とを分解して示す斜視図、図３は表示体を分解して示す斜視図、図４は誘導灯装置の要部を説明する要部断面図、図５は点灯装置の点灯部品の状態を示す斜視図、図６は点灯装置の点灯部品の状態を示す側面図である。
【００２３】
各図１及び図２において、誘導灯装置である誘導灯１は、天井面や垂直な壁面等の設置面に設置されて使用可能なように構成されている。そして、誘導灯１は、誘導灯本体２と、この誘導灯本体２に装着される表示体３とから構成されている。また、誘導灯本体２は、本体ケース４、光源ユニット５、端子台６、点灯手段である点灯装置７及びバッテリ８を備えている。
【００２４】
図２に示すように、誘導灯本体２は、正面背面方向の寸法、つまり、厚さ寸法が小さく正面側を開口部４１とした扁平な箱状の本体ケース４を備え、この本体ケース４の内側に光源ユニット５、端子台６、点灯装置７等が配設されている。そして、本体ケース４は絶縁性を有する白色の合成樹脂にて一体に形成され、四角形板状の背面部４２、上面部４３、下面部４４及び両側の側面部４５を有し、上面部４３、下面部４４及び両側の側面部４５とで四角形枠状に形成されている。
【００２５】
上面部４３には、円孔状の電源線導入口４６が略中央部に位置して形成されているまた、同様に、背面部４２の略中央部上側にも図示しない円孔状の電源線導入口が形成されているとともに、この電源線導入口の両側に位置して、図示しない取付孔が形成されている。これら上面部４３及び背面部４２に形成した電源線導入口４６、取付孔４７は、誘導灯１を天井面や壁面等の設置面に選択的に設置するために用いられるものであり、容易に開口可能なノックアウト構造となっている。
【００２６】
表示体３は、図３に示すように、誘導灯本体２に着脱可能に取り付けられるカバー体３１、このカバー体３１に取り付けられる表示板３２および導光板３３を備えている。
【００２７】
カバー体３１には、誘導灯本体１２の上面部の図示しない表示体嵌合部に嵌り込むとともに光源部５を覆う上部の光源カバー部３４、誘導灯本体２の底面部４４に嵌り込んで誘導灯本体２の下面に重なり合う下部の略Ｌ字形の重なり部３５および誘導灯本体２の両側面部４５の図示しない表示体嵌合部に嵌り込む側面部３６が一体に形成されている。さらに、カバー体３１の光源カバー部３４と重なり部３５と側面部３６との間に表示板３２および導光板３３が嵌め込まれる収納凹部３７が形成され、この収納凹部３７の奥側の面を覆って背面部である仕切板３８が形成されている。
【００２８】
そして、この仕切板３８は、後述する導光板３３の背面側３３Ｃと略平行となるように傾斜状に形成されている。また、仕切板３８の上部と光源カバー部３４の下部との間には表示板３２および導光板３３が差し込まれる差込溝３９が形成されている。この差込溝３９における仕切板３８の上部と光源カバー部３４の下部との間の幅は、表示板３２および導光板３３の厚みよりも大きく、表示板３２および導光板３３が無理なく差し込まれるように形成されている。また、収納凹部３７内の両側面および底面には図示しない複数の係止爪が突設されている。
【００２９】
表示板３２は、透光性を有し、避難誘導の図柄などが表示されており、両側および下側に導光板３３を嵌め込む縁部３２Ａが形成されている。また、縁部３２Ａにはカバー体３１の図示しない各係止爪に係止可能とする複数の係合孔３２Ｂが形成されている。
【００３０】
また、導光板３３は、上面を光源からの光の入射面３３Ａとし、表示板３２に対向する面を導光した光の出射面３３Ｂとしている。また、導光板３３は、入射部３３Ａから下側へ近づくほど上下方向と直交する方向の厚さ寸法が小さくなるように光出射面３３Ｂと対向する背面側３３Ｃが傾斜状で形成されている。
【００３１】
そして、導光板３３を組み込んだ表示板３２の上端をカバー体３１の差込溝３９に斜め下方から差し込み、表示板３２の上部の段部を光源カバー部３４の下部に係合させ、表示板３２の下側を回動させてカバー体３１の収納凹部３７に嵌め込まれている。表示板３２が収納凹部３７に嵌め込まれた状態では、表示板３２の各係合孔３２Ｂが収納凹部３７の各係止爪に係着され、その嵌め込まれた状態に係止されている。
【００３２】
光源部である光源ユニット５は、光源としてＬＥＤチップが用いられ、複数のＬＥＤチップが表面実装された基板と、この基板を保持する基板取付ホルダとを備えている。基板は、細長状に形成されており、ＬＥＤチップが実装された面を下方に向けた状態で本体ケース４の上部に取付けられている。したがって、ＬＥＤチップから出射された光は、導光板３３の入射面３３Ａに入射するようになっている。
【００３３】
端子台６は、略四角形の箱状に形成されて背面部４２の取付孔の下側に位置して取付けられており、電源線導入口４６から導入される外部の電源線や内部の配線コード等の芯線が挿入されて電気的に接続される複数の自己鎖錠形の端子を有している。
【００３４】
点灯装置７は、図５に示すように、基板７１にトランスＴｒ、ＩＣ、スイッチング素子としてトランジスタＱ、電解コンデンサＣ、基板用端子台Ｔ、コネクタＣｎ等の点灯回路部品７２が実装されて構成されている。この基板７１には、その両面に点灯部品７２が実装されており、表面側には、トランス等の背の高い部品が一方側７１Ａに集約されて配置されている。また、一方側７１Ａの基板面には、他の回路部品に比較して比較的背の高いコンデンサ７３、７４、７５が下側に実装されている。この一方、図示しない裏面には背の低い半導体素子や抵抗素子等が表面実装方式により実装されており、したがって、表面側の他方側には、回路部品は実装されておらず、回路パターンのみが配線されて構成されている。また、点灯装置７は、端子台６を介して電源線に接続され、その出力を光源ユニット５のＬＥＤチップに供給し、常用点灯としてＬＥＤチップを点灯制御するとともにバッテリ８を充電し、電源からの電力が遮断された場合には、バッテリ８の電力に切替えて非常点灯としてＬＥＤチップを点灯するようになっている。さらに、点灯装置７には、図示しない点検スイッチが接続され、点検スイッチの操作によりバッテリ８の充電状態等の点検動作を行うことが可能になっている。加えて、点灯装置７には、リモコン受信部が接続され、リモコンの操作により、点灯装置７を操作し設定作業等を行うことができるようになっている。
【００３５】
点灯装置７を収納する合成樹脂製の点灯装置ケース７３は、図２又は図４（図４の点灯装置７は、説明の便宜上点灯装置ケース７３の外郭のみを記している。）に示すように、全体形状が略直方体状に形成され、基板７１の背の高い部品が実装された領域をカバーする第１のカバー部７３ａと、回路パターンのみが配線された領域をカバーする図示しない第２のカバー部とを備えている。したがって、第１のカバー部７３ａは、背の高い部品をカバーするため奥行き寸法が深い箱状をなし、第２のカバー部は、奥行き寸法が浅く形成されて背面側が開口している。そして、正面視、点灯装置ケース７３は、第１のカバー部７３ａと第２のカバー部とで段状を形成している。このような構成により、第２のカバー部の前面側にはスペースＳが形成され、このスペースＳにバッテリ８が配設されるようになっている。バッテリ８は、充電可能な二次電池が用いられ、バッテリケースに収納されて、前記スペースＳに配設される。
【００３６】
また、点灯装置ケース７３は、表示体３と対向する表側７３Ｘが表示体３の仕切板３８に当接しない程度に上側が下側よりも厚さ寸法が大きくなるように傾斜状で形成されている。そして、これにより、内部の点灯部品の配置は、図６に示したように、点灯装置ケースの表側の形状に合わせて、背の高い部品であるコンデンサ７４，７５，７６が配設可能となるように基板７１に実装されている。
【００３７】
そして、本実施形態によれば、まず、点灯装置６の複数の点灯部品７２は、基板に対する取付け高さが各々異なるものであるため、比較的取付高さが高くなる点灯部品であるコンデンサ７４，７５，７６を点灯装置ケース７３の下側に配置し、点灯装置ケース７３の上側になるにしたがって、比較的取付高さの低い点灯部品７２を配置するように構成する。そして、このように形成された点灯部品７２の取付け高さ違いを利用することで、点灯装置ケース７３の表側７３Ｘを傾斜状に形成することができる。
【００３８】
次に、このような点灯装置ケース７３を有する点灯装置６を内部に配設した状態の誘導灯本体２に対して導光板３３が設けられた表示体３を配設する。このとき、表示体３の仕切板３８を傾斜状に形成することで、表示体３が点灯装置ケース７３の表側７３Ｘに当接しないように設けることができる。
【００３９】
これにより、表示体３と誘導灯本体２とを組合わせた際の前後方向の寸法を小さくすることが可能となり、誘導灯１の薄形化を実現することができる。
【００４０】
また、本実施形態においては、図４に示すように、点灯装置７の上側に端子台６が配設される構成であるが、この端子台の突出高さは、点灯装置ケース７３よりも低くなるように設けられている。したがって、端子台６を点灯装置７の上側に配設しても表示体３と端子台６とは干渉しないので、誘導灯１が大形化することがない。さらに、本実施形態の端子台６は、図２、図４に示すように、電源線導入口４６が斜め上方になるように設けられている。このような構成にすることによって、端子台６を薄形化したとしても、電源線を端子台６の電源線挿入孔６１へ挿入する際の作業がスムーズに行うことができるし、電源線導入口４６に電源線を接続した後に誘導灯本体２内に前記電源線を収納する際に剛性の高い電線であっても比較的大きな負荷を要せず収納することが収納することが可能となる。
【図面の簡単な説明】
【００４１】
【図１】本実施形態の誘導灯装置を示す斜視図
【図２】本実施形態の誘導灯本体と表示体とを分解して示す斜視図
【図３】本実施形態の表示体を分解して示す斜視図
【図４】本実施形態の誘導灯装置の要部を説明する要部断面図
【図５】本実施形態の点灯装置の点灯部品の状態を示す斜視図
【図６】本実施形態の点灯装置の点灯部品の状態を示す側面図
【符号の説明】
【００４２】
１…誘導灯装置、２…誘導灯本体、３…表示体、５…光源部、７…点灯手段である点灯装置、３３…導光板、７３…点灯装置ケース、
【図１】
2010073465.tif 000003
【図２】
2010073465.tif 000004
【図３】
2010073465.tif 000005
【図４】
2010073465.tif 000006
【図５】
2010073465.tif 000007
【図６】
2010073465.tif 000008